(57)【特許請求の範囲】
【請求項１】
同軸ケーブルの接続される端子からの入力信号を同軸ケーブルの接続される複数の端子より分配あるいは分岐して出力するための分配回路あるいは分岐回路を内蔵したケースの造営物への取付面と直交方向の直交面上に前記端子が前記直交方向に２列に配置され、前記端子のうち、前記取付面より離れた側の列の端子が他方の列の端子より前記ケースの中央寄りに配置されるよう前記直交面に段差が設けられ、前記ケースは、前記中央寄りに配置された端子の前記取付面側に凹部を備えたことを特徴とする同軸ケーブル配線装置。
【請求項２】
各列毎の端子が同軸ケーブルの接続方向において互いに重なることなく配置されていることを特徴とする請求項１記載の同軸ケーブル配線装置。
【請求項３】
前記端子のうち、少なくとも一方の列の端子は、その端子の配置される配置面の中央より前記取付面と反対側にずれていることを特徴とする請求項１または請求項２に記載の同軸ケーブル配線装置。
【請求項４】
前記端子のうち、少なくとも一方の列の端子は、同軸ケーブルの接続方向が前記取付面と反対方向に向くように傾いて設けられていることを特徴とする請求項１から請求項３のいずれかに記載の同軸ケーブル配線装置。
【請求項５】
マルチメディアポート内に取付板に取り付けられて配置される各種情報機器の前記取付板上の高さと同じ高さとされ、取付板上に取り付けられて前記マルチメディアポートに配置されることを特徴とする請求項１から請求項４のいずれかに記載の同軸ケーブル配線装置。
【請求項６】
前記マルチメディアポート内に各種情報機器が取り付けられた取付板が並んで配置され、それ自体の幅よりも取付板の並ぶ方向の幅が広い幅の取付板に取り付けられることを特徴とする請求項５記載の同軸ケーブル配線装置。
【発明の詳細な説明】
【０００１】
【発明の属する技術分野】
本発明は、接続された同軸ケーブルから入力した信号を分配あるいは分岐して接続された同軸ケーブルより出力する同軸ケーブル配線装置に関するものである。
【０００２】
【従来の技術】
従来、ＨＦ信号，ＦＭ信号，ＶＨＦ信号，ＵＨＦ信号，ＢＳ−ＩＦ信号，ＣＳ−ＩＦ信号、あるいはＣＡＴＶ信号などの信号を入力し、分配して出力する同軸ケーブル配線装置として、図１２に示す分配器があった。図１２（ａ）は上面図、（ｂ）は正面図、（ｃ）は下面図、（ｄ）は側面図を示している。
【０００３】
分配器５０は、内部に分配回路が内蔵される略直方体状のケース５１の上面に、ＨＦ信号やＦＭ信号などの信号を入力する同軸ケーブルが接続される一つの入力端子６０と、入力端子６０より入力された入力信号を分配して外部出力する同軸ケーブルの接続される４つの出力端子６１が一列に設けられている。また、ケース５１の下面にも同じく４つの出力端子６１が一列に設けられており、分配器５０は８分配器である。この分配器５０は、図１３に示すように、背面の両端部にそれぞれ設けられたねじ５５，５５により背面を取付面として壁面５７に取り付けられる。尚、同軸ケーブル配線装置として、ケース内に分岐回路が内蔵される分岐器も分配器５０と同様の構成をしている。
【０００４】
【発明が解決しようとする課題】
このように、従来の同軸ケーブル配線装置である分配器、分岐器は入力端子６０、出力端子６１が上面および下面に一列に設けられている（同様の構成は特開昭６２−１３６１７３号にも開示）ため、分配数、分岐数が多くなると入出力端子数が多くなり、入出力端子が配列されている方向の長さが長くなり、分配器、分岐器の大きさが大きくなって、その取り付け場所が大きくなるという問題があった。
【０００５】
また、従来の同軸ケーブル配線装置である分配器、分岐器は、入力端子６０、出力端子６１が、ケース５１の厚さ方向（Ｘ方向）の略中央部に設けられており、分配器、分岐器を壁面５７に取り付けたときに、入力端子６０、出力端子６１と壁面５７の距離が小さく、同軸ケーブルを入力端子６０、出力端子６１に手で接続する際に、指が壁側に入らず施工性が悪かった。最近では、家庭内における情報化が進んでいるため、先行配線しメンテナンスしやすいようにボックスに収納する場合、ボックスが大きくならないように、特に機器を小型化し、作業性を向上させる必要があった。
【０００６】
本発明は上記事由に鑑みて為されたものであり、その目的は小型化でき、施工性のよい同軸ケーブル配線装置を提供することにある。
【０００７】
【課題を解決するための手段】
上記課題を解決するために、請求項１の発明は、同軸ケーブルの接続される端子からの入力信号を同軸ケーブルの接続される複数の端子より分配あるいは分岐して出力するための分配回路あるいは分岐回路を内蔵したケースの造営物への取付面と直交方向の直交面上に前記端子が前記直交方向に２列に配置され、前記端子のうち、前記取付面より離れた側の列の端子が他方の列の端子より前記ケースの中央寄りに配置されるよう前記直交面に段差が設けられ、前記ケースは、前記中央寄りに配置された端子の前記取付面側に凹部を備えたことを特徴とする。よって、同軸ケーブル配線装置の造営物への取付面の大きさを小さくすることができ、取付場所を小さくすることができる。また、正面より同軸ケーブル配線装置を見たとき各列の端子が見えるようになり、各端子に同軸ケーブルを接続する際の施工性が向上する。さらに、中央寄りに配置された端子の取付面側のスペースを大きくすることができ、端子への同軸ケーブルの接続が容易になり、施工性が向上する。
【０００９】
また、請求項２の発明は、請求項１記載の発明において、各列毎の端子が同軸ケーブルの接続方向において互いに重なることなく配置されていることを特徴とする。よって、各端子に手で同軸ケーブルを接続する際に、接続する端子と他の列にある端子や同軸ケーブルに手が接触することを防止でき施工性が向上する。
【００１１】
また、請求項３の発明は、請求項１または請求項２記載の発明において、前記端子のうち、少なくとも一方の列の端子は、その端子の配置される配置面の中央より前記取付面と反対側にずれていることを特徴とする。よって、端子と造営物などの間にスペースができ、端子に同軸ケーブルを取り付ける際に、そのスペースに手を入れることができ、施工性が向上する。
【００１２】
また、請求項４の発明は、請求項１から請求項３のいずれかに記載の発明において、前記端子のうち、少なくとも一方の列の端子は、同軸ケーブルの接続方向が前記取付面と反対方向に向くように傾いて設けられていることを特徴とする。よって、端子と造営物などの間にスペースができ、端子に同軸ケーブルを取り付ける際に、そのスペースに手を入れることができ、施工性が向上する。
【００１３】
また、請求項５の発明は、請求項１から請求項４のいずれかに記載の発明において、マルチメディアポート内に取付板に取り付けられて配置される各種情報機器の前記取付板上の高さと同じ高さとされ、取付板上に取り付けられて前記マルチメディアポートに配置されることを特徴とする。よって、マルチメディアポート内に配置される各種情報機器のデザインの統一性が保たれる。
【００１４】
また、請求項６の発明は、請求項５記載の発明において、前記マルチメディアポート内に各種情報機器が取り付けられた取付板が並んで配置され、それ自体の幅よりも取付板の並ぶ方向の幅が広い幅の取付板に取り付けられることを特徴とする。よって、同軸ケーブル配線装置の隣に配置されている他の情報機器との間に隙間を設けることができ、同軸ケーブル配線装置の端子に接続される同軸ケーブルの引き回しや接続などの施工性が向上する。
【００１５】
【発明の実施の形態】
（参考例１）
本発明に関連した参考例１を説明する。図１はそれぞれ分配器の構造を示しており、（ａ）は上面図、（ｂ）は正面図、（ｃ）は下面図、（ｄ）は側面図である。同軸ケーブル配線装置である分配器１は、ＨＦ信号、ＦＭ信号、ＶＨＦ信号、ＵＨＦ信号、ＢＳ−ＩＦ信号、ＣＳ−ＩＦ信号、ＣＡＴＶ信号などの信号を入力し分配して出力する分配回路が内蔵された略直方体状のケース２の上面および下面から上記信号の入出力を行う（所謂、Ｆ型接栓座という）端子３が設けられており、正面と反対側の面が取付面Ａとして壁面などの造営物に取り付けられる。ここで、ケース２の取付面Ａの幅方向（Ｑ方向）両端に設けられたねじ５，５により取り付けられる。
【００１６】
上記した端子３は、ケース２の上面、すなわち取付面Ａと直交方向（Ｐ方向）の直交面Ｂ上に、直交方向（Ｐ方向）に２列に配置され、分配器を壁面に取り付けたときに壁面側の列には２つ、壁面と反対側の列には３つの計５つの端子が設けられ、ケース２の下面、すなわち取付面Ａと直交する直交面Ｃ上には直交方向（Ｐ方向）に各２つずつ２列に４つ設けられている。この分配器１は、ケース２の上面と下面に設けられた計９つの端子３のうち１つは入力端子、他の８つは出力端子であり、それぞれにＦ型接栓を備えた同軸ケーブルが接続されて、入力端子より入力された上記信号が８つに分配されて出力端子より出力される８分配器である。尚、この場合、９つの端子３のいずれが入力端子、出力端子であっても構わず、分配数もこれに限定されない。
【００１７】
ここで、２分配器における分配回路を図２に示す。この２分配回路はコイルＬ１，Ｌ２を有するトランスＴ、コンデンサＣ１０、抵抗Ｒにより構成され、入力されたＦＭ信号などの信号を２分配して出力する公知のものである。
【００１８】
本参考例では、信号の入力あるいは出力を行う端子３を、分配器１の壁面などへの取付面と直交する直交面上に、直交方向に２列に配置したので、分配器１の壁面などへの取付面の幅方向（Ｑ方向）の長さを抑えることができ、取付場所を小さくすることができる。本参考例では、分配器１の幅方向の長さを、ＪＩＳ規格等において規格化されている既製の配線器具の２個モジュール寸法（６６ｍｍ）としている。
【００１９】
また、本参考例ではケース２内に分配回路が内蔵され、入力信号を分配する分配器について説明したが、同軸ケーブル配線装置として、図３に示すトランスＴ１，Ｔ２、コンデンサＣ１１，Ｃ１２，Ｃ１３を備えた公知の分岐回路が内蔵され、入力信号を順次分岐して出力する所謂、分岐器についても上記した端子の配列とすることで同様の効果が得られる。
【００２０】
（参考例２）
次に、本発明に関連した参考例２を説明する。図４はそれぞれ同軸ケーブル配線装置である分配器の構造を示しており、（ａ）は上面図、（ｂ）は正面図、（ｃ）は下面図、（ｄ）は側面図である。図４の分配器１０において、図１の分配器１と異なる点は、分配器１０のケース２Ａが、壁面などの造営物への取付面Ａより離れた側の列の端子３Ａが他方の列の端子３Ｂよりケース２Ａの中央寄りに配置されるように、図１でのケース２の直交面Ｂ，Ｃに段差１１が設けられる。つまり、ケース２Ａは、上下方向（Ｓ方向）の長さが、取付面Ａ側に比べて正面Ｄ側がＳ方向の中央部に向かって短くなっており、取付面Ａ側の幅太部７と正面Ｄ側の幅狭部６とを有する形状となっており、側面から見た形状が凸状となっている。ここで、直交面Ｂは、幅狭部６の一面であり端子３Ａが配置される配置面Ｂ１と、幅太部７の一面であり端子３Ｂが配置される配置面Ｂ２を有し、直交面Ｃは、幅狭部６の一面であり端子３Ａが配置される配置面Ｃ１と、幅太部７の一面であり端子３Ｂが配置される配置面Ｃ２を有している。
【００２１】
このように分配器１０の側面形状は凸状であり、図１と同様に分配器を壁面などに取り付けたときに、その取付面Ａと直交する直交方向（Ｐ方向）に２列に並んだすべての端子３Ａ，３Ｂが正面より見えるようになっている。そのため、図１のように取付面Ａ側の端子が見えない場合に比べて、各端子３Ａ，３Ｂに手で同軸ケーブルを接続する際の施工性が向上する。また、端子を２列に配置したので、分配器１の壁面などへの取付面の幅方向の長さを抑えることができ、取付場所を小さくできるという点は参考例１と同様である。
【００２２】
尚、本参考例では、端子３Ａ，３Ｂのうちいずれが入力端子、出力端子であっても構わず、分配数も８つに限定されない。また、同軸ケーブル配線装置の例として、分配器について説明したが、参考例１と同様、分岐器についても上記構造とすることで同様の効果が得られる。
【００２３】
（参考例３）
次に、本発明に関連した参考例３を説明する。図５はそれぞれ同軸ケーブル配線装置である分配器の構造を示しており、（ａ）は上面図、（ｂ）は正面図、（ｃ）は下面図、（ｄ）は側面図である。図５の分配器１５において、図４の分配器１０と異なる点は、図４では各列毎の端子３Ａ，３Ｂが同軸ケーブルの接続方向（Ｓ方向）で重なる位置に配置されるのに対して、図５では分配器１５の各列毎の端子３Ｃ，３Ｄが同軸ケーブルの接続方向（Ｓ方向）で互いに重なることなく配置されている点である。すなわち、分配器１５の上側にある端子は、正面側の列にある端子３Ｃと取付面Ａ側の列にある端子３Ｄとが、分配器１５の幅方向（Ｑ方向）の左より順に端子３Ｄ，３Ｃ，３Ｄ，３Ｃの順で段違いに配置されており、分配器１５の下側にある端子は、分配器１５の幅方向（Ｑ方向）の左より順に端子３Ｄ，３Ｃ，３Ｄ，３Ｃ，３Ｄの順で段違いに配置されている。
【００２４】
このため、各端子に手で同軸ケーブルを接続する際に、接続する端子と他の列にある端子や同軸ケーブルに手が接触することを防止でき施工性が向上する。また、端子を２列に配置したので、分配器１の壁面などへの取付面の幅方向の長さを抑えることができ、取付場所を小さくできるという点は参考例１と同様である。
【００２５】
また、図６に示すように、分配器１６の上側にある端子は、正面側の列にある端子３Ｃと取付面Ａ側の列にある端子３Ｄとが、分配器１５の幅方向（Ｑ方向）の左より順に端子３Ｄ，３Ｃ，３Ｃ，３Ｄの順で端子が同軸ケーブルの接続方向で互いに重なることなく配置される構成でも同様の効果が得られる。
【００２６】
尚、本参考例では、端子３Ｃ，３Ｄのうちいずれが入力端子、出力端子であっても構わず、分配数も８つに限定されない。また、同軸ケーブル配線装置として分配器について説明したが、参考例１と同様、分岐器についても上記構造とすることで同様の効果が得られる。
【００２７】
ここで、デジタルＣＳ切換器などの例えば映像情報の伝送に用いられる各種の情報機器を内部に配置するマルチメディアポート内に、図６で示した分配器を配置するときの例を図１０に示す。
【００２８】
図１０は、分配器１６やマルチメディアポート用のデジタルＣＳ切換器２５を、それぞれ取付板３０，３１に取り付けたところを示しており、図１０（ａ）は正面図を、図１０（ｂ）は下面図を示している。この分配器１６やデジタルＣＳ切換器２５などの情報機器は、上記のように取付板３０，３１上に取り付けられて図示せぬマルチメディアポート内に図示のように並べて配置され固定される。ここで、他の情報機器の図示は省略している。
【００２９】
デジタルＣＳ切換器２５も各接続端子３５に情報線が接続され、分配器１６と同様に端子の配列が２列になっている。図１０（ｂ）に示すように、分配器１６の取付板３０上の高さは、デジタルＣＳ切換器２５の取付板３１上の高さと同様に４６ｍｍとなっている。このように分配器１６は他の情報機器であるデジタルＣＳ切換器２５と取付板上の高さが同じであるため、マルチメディアポート内に配置される情報機器としてデザインの統一性が保たれる。また、分配器１６とデジタルＣＳ切換器２５において、各端子列が配置される配置面どうしもそれぞれ２３ｍｍとなっており同じ高さとなっている。取付板３０，３１はいずれも４ｍｍである。
【００３０】
次に、分配器１６をマルチメディアポート内に配置するときの他の例を図１１に示す。図１１において図１０と異なる点は、図１０では取付板３０における取付板３０，３１が並ぶ方向（Ｉ方向）の幅が、分配器１６の幅と略同一（６６ｍｍ）であるのに対して、図１１では分配器１６が、それ自体のＩ方向の幅（６６ｍｍ）よりも幅の広い取付板３２（１００ｍｍ）に取り付けられる点である。
【００３１】
このように取付板３２のＩ方向の幅が分配器１６の幅よりも大きくすることで、分配器１６の隣に配置されているデジタルＣＳ切換器２５との間に隙間を設けることができ、分配器１６の端子３Ｄに接続された同軸ケーブル４０の引き回しや接続などの施工性が向上する。
【００３２】
（実施形態）
次に、本発明の実施形態を説明する。図７はそれぞれ同軸ケーブル配線装置である分配器の構造を示しており、（ａ）は上面図、（ｂ）は正面図、（ｃ）は下面図、（ｄ）は側面図である。図７の分配器１７において、図６の分配器１６と異なる点は、図７では、ケース２Ｂの中央寄りに配置された端子３Ｃの取付面Ａ側に窪んだ凹部８が新たに設けられている点である。つまり、幅太部７の端子３Ｃに対向する面（正面側の面）上の端子３Ｃに対向する部分に、端子３Ｃの位置と反対方向、すなわち取付面Ａ側に窪んだ凹部８が設けられている。
【００３３】
そのため、端子３Ｃの取付面Ａ側のスペースを大きくすることができ、端子３Ｃへの同軸ケーブルの接続が容易になり、施工性が向上する。また、端子を２列に配置したので、分配器１の壁面などへの取付面の幅方向の長さを抑えることができ、取付場所を小さくできるという点は参考例１と同様である。
【００３４】
尚、本実施形態では、端子３Ｃ，３Ｄのうちいずれが入力端子、出力端子であっても構わず、分配数も８つに限定されない。また、分配器について説明したが、参考例１と同様、分岐器についても上記構造とすることで同様の効果が得られる。
【００３５】
（参考例４）
次に、本発明に関連した参考例４を説明する。図８は同軸ケーブル配線装置である分配器を壁面に取り付けた状態を示している。図８において図４と異なる点は、この分配器２０の幅細部６には、配置面Ｂ１，Ｃ１における取付面Ａと直交方向（Ｅ方向）中央部Ｅ１ではなく、中央部Ｅ１より、取付面Ａと反対側である正面Ｄ側にずれた位置に端子３Ａが配置されている点である。そのため、幅太部７の端子３Ａと対向する対向面７Ａと端子３Ａとの間にスペースができ、端子３Ａに同軸ケーブルを取り付ける際に、そのスペースに手を入れることができ、施工性が向上する。
【００３６】
また、幅細部７には、配置面Ｂ２，Ｃ２における取付面Ａと直交方向（Ｆ方向）中央部Ｆ１より正面Ｄ側にずれた位置に端子３Ｂが配置されている。そのため、壁面２７と端子３Ｂとの間にスペースができ、端子３Ｂに同軸ケーブルを取り付ける際に、そのスペースに手を入れることができ、施工性が向上する。尚、図中３ａ，３ｂは端子３Ａ，３Ｂの中心部を表している。また、端子３Ａ、端子３Ｂの両方を上記配置としたが、少なくともいずれか一方を上記配置としてもよい。
【００３７】
また、端子を２列に配置したので、分配器１の壁面などへの取付面の幅方向の長さを抑えることができ、取付場所を小さくできるという点は参考例１と同様である。
【００３８】
尚、本参考例では、端子３Ａ，３Ｂのうちいずれが入力端子、出力端子であっても構わず、分配数も８つに限定されない。また、分配器について説明したが、参考例１と同様、分岐器についても上記構造とすることで同様の効果が得られる。
【００３９】
（参考例５）
次に、本発明に関連した参考例５を説明する。図９に本参考例の同軸ケーブル配線装置である分配器を壁面に取り付けた状態を示す。図９において、図４と異なる点は、図４では端子３Ａ，３Ｂが取付面Ａと平行方向に突出形成され、その平行方向に同軸ケーブルが接続されるのに対して、図９では端子３Ａ，３Ｂが取付面Ａと平行方向（Ｈ方向）より取付面Ａと反対方向に傾くように突出形成され、同軸ケーブルの接続方向が取付面Ａと反対方向に向くようになる。
【００４０】
そのため、幅太部７の端子３Ａと対向する対向面７Ａと、端子３Ａとの間にスペースができ、端子３Ａに同軸ケーブルを取り付ける際に、そのスペースに手を入れることができ、施工性が向上する。また、壁面２７と端子３Ｂとの間にもスペースができ、端子３Ｂに同軸ケーブルを取り付ける際に、そのスペースに手を入れることができ、施工性が向上する。尚、端子３Ａ、端子３Ｂの両方を上記配置としたが、少なくともいずれか一方を上記配置としてもよい。
【００４１】
また、端子を２列に配置したので、分配器１の壁面などへの取付面の幅方向の長さを抑えることができ、取付場所を小さくできるという点は参考例１と同様である。
【００４２】
尚、本参考例では、端子３Ａ，３Ｂのうちいずれが入力端子、出力端子であっても構わず、分配数も８つに限定されない。また、分配器について説明したが、参考例１と同様、分岐器についても上記構造とすることで同様の効果が得られる。
【００４３】
【発明の効果】
上記したように、請求項１の発明は、同軸ケーブルの接続される端子からの入力信号を同軸ケーブルの接続される複数の端子より分配あるいは分岐して出力するための分配回路あるいは分岐回路を内蔵したケースの造営物への取付面と直交方向の直交面上に前記端子が前記直交方向に２列に配置されているため、同軸ケーブル配線装置の造営物への取付面の大きさを小さくすることができ、取付場所を小さくすることができる。また、前記端子のうち、前記取付面より離れた側の列の端子が他方の列の端子より前記ケースの中央寄りに配置されるよう前記直交面に段差が設けられるため、正面より同軸ケーブル配線装置を見たとき各列の端子が見えるようになり、各端子に同軸ケーブルを接続する際の施工性が向上する。さらに、前記ケースは、前記中央寄りに配置された端子の前記取付面側に凹部を備えたため、中央寄りに配置された端子の取付面側のスペースを大きくすることができ、端子への同軸ケーブルの接続が容易になり、施工性が向上する。
【００４５】
また、請求項２の発明は、請求項１記載の発明において、各列毎の端子が同軸ケーブルの接続方向において互いに重なることなく配置されているため、各端子に手で同軸ケーブルを接続する際に、接続する端子と他の列にある端子や同軸ケーブルに手が接触することを防止でき施工性が向上する。
【００４７】
また、請求項３の発明は、請求項１または請求項２記載の発明において、前記端子のうち、少なくとも一方の列の端子は、その端子の配置される配置面の中央より前記取付面と反対側にずれているため、端子と造営物などの間にスペースができ、端子に同軸ケーブルを取り付ける際に、そのスペースに手を入れることができ、施工性が向上する。
【００４８】
また、請求項４の発明は、請求項１から請求項３のいずれかに記載の発明において、前記端子のうち、少なくとも一方の列の端子は、同軸ケーブルの接続方向が前記取付面と反対方向に向くように傾いて設けられているため、端子と造営物などの間にスペースができ、端子に同軸ケーブルを取り付ける際に、そのスペースに手を入れることができ、施工性が向上する。
【００４９】
また、請求項５の発明は、請求項１から請求項４のいずれかに記載の発明において、マルチメディアポート内に取付板に取り付けられて配置される各種情報機器の前記取付板上の高さと同じ高さとされ、取付板上に取り付けられて前記マルチメディアポートに配置されるため、マルチメディアポート内に配置される各種情報機器のデザインの統一性が保たれる。
【００５０】
また、請求項６の発明は、請求項５記載の発明において、前記マルチメディアポート内に各種情報機器が取り付けられた取付板が並んで配置され、それ自体の幅よりも取付板の並ぶ方向の幅が広い幅の取付板に取り付けられるため、同軸ケーブル配線装置の隣に配置されている他の情報機器との間に隙間を設けることができ、分配器の端子に接続される同軸ケーブルの引き回しや接続などの施工性が向上する。
【図面の簡単な説明】
【図１】  本発明に関連した参考例１に対応する分配器の構造を示す図であって、（ａ）は上面図、（ｂ）は正面図、（ｃ）は下面図、（ｄ）は側面図である。
【図２】  同上の分配器に内蔵される分配回路の構成を示す回路図である。
【図３】  同上の分岐器に内蔵される分岐回路の構成を示す回路図である。
【図４】  本発明に関連した参考例２に対応する分配器の構造を示す図であって、（ａ）は上面図、（ｂ）は正面図、（ｃ）は下面図、（ｄ）は側面図である。
【図５】  本発明に関連した参考例３に対応する分配器の構造を示す図であって、（ａ）は上面図、（ｂ）は正面図、（ｃ）は下面図、（ｄ）は側面図である。
【図６】  同上の他の分配器の構造を示す図であって、（ａ）は上面図、（ｂ）は正面図、（ｃ）は下面図、（ｄ）は側面図である。
【図７】  本発明の実施形態に対応する分配器の構造を示す図であって、（ａ）は上面図、（ｂ）は正面図、（ｃ）は下面図、（ｄ）は側面図である。
【図８】  本発明に関連した参考例４に対応する分配器を壁面に取り付けた状態を示す側面図である。
【図９】  本発明に関連した参考例５に対応する分配器を壁面に取り付けた状態を示す側面図である。
【図１０】  参考例３に対応する分配器をマルチメディアポート内に配置する状態を示す図であって、（ａ）は正面図、（ｂ）は下面図である。
【図１１】  同上の分配器をマルチメディアポート内に配置する他の状態を示す正面図である。
【図１２】  従来の分配器の構造を示す図であって、（ａ）は上面図、（ｂ）は正面図、（ｃ）は下面図、（ｄ）は側面図である。
【図１３】  従来の分配器を壁面に取り付けた状態を示す側面図である。
【符号の説明】
１  分配器
２  ケース
３  端子
５  ねじ
Ａ  取付面
Ｂ  直交面
Ｃ  直交面
【図１】
0003726572.tif 000002
【図２】
0003726572.tif 000003
【図３】
0003726572.tif 000004
【図４】
0003726572.tif 000005
【図５】
0003726572.tif 000006
【図６】
0003726572.tif 000007
【図７】
0003726572.tif 000008
【図８】
0003726572.tif 000009
【図９】
0003726572.tif 000010
【図１０】
0003726572.tif 000011
【図１１】
0003726572.tif 000012
【図１２】
0003726572.tif 000013
【図１３】
0003726572.tif 000014